(57)【要約】【課題】  さらなる小型・軽量化に対応でき、ハーネスやバスバー等の接続部材を整頓して組立性やメンテナンス性を向上させた電気接続箱を提供すること。【解決手段】  配電部品２のうち大きい配電部品２ａ、例えば電圧センサー２２を下ケース１１に取着し、さらに、その電圧センサー２２の上面に小さい配電部品２ｂ、例えば、保護回路用の電磁リレー２１ｂを階層的に取着すると共に、取付ボス２２ａによって形成された間隙Ｈにハーネス３１を配線する。【選択図】        図２
2006158125.tif 000002
【特許請求の範囲】
【請求項１】
大小さまざまな大きさの配電部品と、該配電部品と電気的に接続されたハーネスやバスバー等の接続部材と、前記配電部品が取着される取付板とを備え、電流の通電・遮断・検出が実行される電気接続箱であって、
前記配電部品のうち大きい配電部品が前記取付板に取着され、前記大きい配電部品の上面に、前記配電部品のうち小さい配電部品が取着されて、大小さまざまな大きさの前記配電部品が前記取付板に階層的に取着されていることを特徴とする電気接続箱。
【請求項２】
前記小さい配電部品は、前記大きい配電部品の上面から所要幅の間隙が形成されるように支持部を介在させて取着されていると共に、その間隙に、前記接続部材を配線させたことを特徴とする請求項1記載の電気接続箱。
【請求項３】
前記支持部は、前記配電部品のうち大きい配電部品の上面に設けられた所要高さの取付ボスであると共に、前記配電部品のうち小さい配電部品は、前記取付ボスに係合されて取着され、前記取付ボスによって前記間隙が形成されたことを特徴とする請求項２記載の電気接続箱。
【請求項４】
前記取付ボスは、前記接続部材を所望する方向へガイドさせるように所要位置に設けられていることを特徴とする請求項２または３記載の電気接続箱。
【請求項５】
大小さまざまな大きさの配電部品と、該配電部品と電気的に接続されたハーネスやバスバー等の接続部材と、前記配電部品が取着される取付板とを備え、電流の通電・遮断・検出が実行される電気接続箱の組立方法であって、
前記配電部品のうち大きい配電部品を前記取付板に取着し、前記配電部品のうち大きい配電部品の上面に、前記配電部品のうち小さい配電部品を取着して、大小さまざまな大きさの前記配電部品を前記取付板に階層的に取着することを特徴とする電気接続箱の組立方法。
【請求項６】
前記小さい配電部品は、前記大きい配電部品の上面から所要幅の間隙が形成するように支持部を介在して取着すると共に、その間隙に、前記接続部材を配線したことを特徴とする請求項５記載の電気接続箱の組立方法。
【請求項７】
前記支持部は、前記配電部品のうち大きい配電部品の上面に設けられた所要高さの取付ボスであると共に、前記配電部品のうち小さい配電部品は、前記取付ボスに係合して取着し、前記取付ボスによって前記間隙が形成したことを特徴とする請求項６記載の電気接続箱の組立方法。
【請求項８】
前記取付ボスは、前記接続部材を所望する方向へガイドするように所要位置に設けたことを特徴とする請求項６または７記載の電気接続箱の組立方法。
【発明の詳細な説明】
【技術分野】
【０００１】
本発明は、例えば、ハイブリット自動車や電気自動車、燃料電池車等に用いられ、電流の通電・遮断・検出を行う電気接続箱に関し、更に詳しくは、電気接続箱を構成する配電部品の収納性を向上させるために、その配電部品の取り付け構造を改良した電気接続箱および電気接続箱の組立方法に関する。
【背景技術】
【０００２】
従来より、電磁リレーや電圧センサー等の配電部品をケース本体に内装させて、電流の通電・遮断・検出を行う電気接続箱がある。
この電気接続箱は、その使用例として、例えば、ハイブリット自動車や電気自動車、燃料電池車等において、バッテリと、イグニッションスイッチと、インバータ等とを、この電気接続箱を経由するように配設し、イグニッションスイッチからの出力信号に基づいて電磁リレーを作動させ、電圧センサーがバッテリの状態を検出しながら、インバーターに主電力を送電させるために用いられている。
【０００３】
このような電気接続箱は、その詳細な構成として様々なものがあるが、例えば、高圧系回路をバスバー及び電線群で、低圧系回路を組電線で配索する構造を採用し、また、高圧系回路における大電流が流れる回路にはバスバーを、中電流が流れる回路には電線群を用いて配索する構造のものがある。
【０００４】
上記した電気接続箱によれば、各種電気部品等が内在した状態で高密度の配索を実現するとが可能であり、したがって、コスト低減とメンテナンス性の向上に寄与することができる極めて好適なものになっている（例えば特許文献１参照）。
【０００５】
【特許文献１】特開２０００−２５３５１４号公報（第１頁、図１）
【発明の開示】
【発明が解決しようとする課題】
【０００６】
ところで、昨今のハイブリット自動車や電気自動車、燃料電池車等の自動車部品は、さらなる小型・軽量化が要求されている。とりわけ、上記した電気接続箱も、その例に漏れず、さらなる小型・軽量化が要求されている。
【０００７】
しかしながら、従来の電気接続箱は、ヒューズボックスや電磁リレー、抵抗器などの大小さまざまな大きさの配電部品を、所望した任意の位置に配設した構造となっており、場合によっては、例えばブラケット等の取り付け部材を設けて配電部品を取り付けていた。
【０００８】
しかも、ハーネスやバスバー等の接続部材は、当然のことながら、所望した任意の位置に配設された大小さまざまな大きさの配電部品と接続するために、電気接続箱を構成するケース本体内に縦横無尽に配線されており、その結果、煩雑した内部構成となりやすく、組立性やメンテナンス性に課題があった。
【０００９】
そこで本発明は、配電部品の取り付け構造に着目して、さらなる小型・軽量化に対応できる電気接続箱及び電気接続箱の組立方法を提供することを目的とし、更に他に目的とするところは、ハーネスやバスバー等の接続部材を整頓して組立性やメンテナンス性を向上させた電気接続箱及び電気接続箱の組立方法を提供することを目的とする。
【課題を解決するための手段】
【００１０】
上記課題を達成するために本発明にかかる電気接続箱及び電気接続箱の組立方法は、下記の技術的手段を講じた。
すなわち、請求項１にかかる電気接続箱は、大小さまざまな大きさの配電部品と、該配電部品と電気的に接続されたハーネスやバスバー等の接続部材と、前記配電部品が取着される取付板とを備え、電流の通電・遮断・検出が実行される電気接続箱であって、前記配電部品のうち大きい配電部品が前記取付板に取着され、前記大きい配電部品の上面に、前記配電部品のうち小さい配電部品が取着されて、大小さまざまな大きさの前記配電部品が前記取付板に階層的に取着されていることを特徴とする。
請求項２にかかる電気接続箱は、請求項１において、前記小さい配電部品は、前記大きい配電部品の上面から所要幅の間隙が形成されるように支持部を介在させて取着されていると共に、その間隙に、前記接続部材を配線させたことを特徴とする。
請求項３にかかる電気接続箱は、請求項２において、前記支持部は、前記配電部品のうち大きい配電部品の上面に設けられた所要高さの取付ボスであると共に、前記配電部品のうち小さい配電部品は、前記取付ボスに係合されて取着され、前記取付ボスによって前記間隙が形成されたことを特徴とする。
請求項４にかかる電気接続箱は、請求項２または３において、前記取付ボスは、前記接続部材を所望する方向へガイドさせるように所要位置に設けられていることを特徴とする。
請求項５にかかる電気接続箱の組立方法は、大小さまざまな大きさの配電部品と、該配電部品と電気的に接続されたハーネスやバスバー等の接続部材と、前記配電部品が取着される取付板とを備え、電流の通電・遮断・検出が実行される電気接続箱の組立方法であって、前記配電部品のうち大きい配電部品を前記取付板に取着し、前記配電部品のうち大きい配電部品の上面に、前記配電部品のうち小さい配電部品を取着して、大小さまざまな大きさの前記配電部品を前記取付板に階層的に取着することを特徴とする。
請求項６にかかる電気接続箱の組立方法は、請求項５において、前記小さい配電部品は、前記大きい配電部品の上面から所要幅の間隙が形成するように支持部を介在して取着すると共に、その間隙に、前記接続部材を配線したことを特徴とする。
請求項７にかかる電気接続箱の組立方法は、請求項６において、前記支持部は、前記配電部品のうち大きい配電部品の上面に設けられた所要高さの取付ボスであると共に、前記配電部品のうち小さい配電部品は、前記取付ボスに係合して取着し、前記取付ボスによって前記間隙が形成したことを特徴とする。
請求項８にかかる電気接続箱の組立方法は、請求項６または７において、前記取付ボスは、前記接続部材を所望する方向へガイドするように所要位置に設けたことを特徴とする。
【発明の効果】
【００１１】
本発明によれば、配電部品のうち大きい配電部品を取付板に取着し、さらに、その大きい配電部品の上面に小さい配電部品を取着して、大小さまざまな大きさの前記配電部品を取付板に階層的に取着したから、整然と配電部品を組むことができ、したがって、さらなる小型・軽量化に対応できる電気接続箱及び電気接続箱の組立方法が提供できる。
【００１２】
しかも、小さい配電部品と大きい配電部品との間に所要幅の間隙が形成されるように支持部を介在させて、小さい配電部品を大きい配電部品の上面に取着し、その間隙にハーネスやバスバー等の接続部材を配線したから、接続部材が整頓されて、組立性やメンテナンス性を向上することができる。
【００１３】
さらに、接続部材を所望する方向へガイドさせるように下ケースの底内壁、または、取付板から取付ボスを突設して上記した間隙を形成したから、配電部品を組み付けするだけの作業で接続部材を固定できる。したがって、より組立性を向上することができる。
【発明を実施するための最良の形態】
【００１４】
次に、本発明にかかる電気接続箱の実施の形態を添付図面に基づいて説明する。本発明にかかる電気接続箱は、ハイブリット自動車や電気自動車、燃料電池車等の電装関連の一部品であり、バッテリと、イグニッションスイッチと、インバータ等とを、この電気接続箱を経由するように配設し、イグニッションスイッチからの出力信号に基づいて電磁リレーを作動させ、電圧センサーがバッテリの状態を検出しながら、インバーターに主電力を送電させるために用いられるものである。図中、符号Ａは電気接続箱を示す。
【００１５】
本実施の形態にかかる電気接続箱Ａは、ケース本体１と、配電部品２と、接続部材３とを備えてなる。
【００１６】
ケース本体１は、下ケース１１（取付板）と、上ケース１２と、通気孔部１３とを備え、アルニウム合金やマグネシウム合金などで略箱状に鋳造されている。
【００１７】
下ケース１１（取付板）は、ハイブリット自動車や電気自動車、燃料電池車等のフレーム等に螺着させるための取付部１１ａが側壁下部から水平方向に突設された断面視略コ字状に形成されている。
一方、上ケース１２は、上面に放熱フィン１２ａが設けられ上記の下ケース１１に着脱可能に螺着されるように断面視略コ字状に形設されている。
【００１８】
通気孔部１３は、後述する電磁リレー２１ａの略真上となるように上ケース１２上面の所要位置に配設された中空の容器体１３ａと、その容器体１３ａに接続された中空ホース１３ｂとを備え、ハイブリット自動車や電気自動車、燃料電池車等に設けられた図示しない送風機構部と接続され、駆動時に図示しない送風機構部から送風された空気が通気孔部１３に送風されてケース本体１を冷却するようになっている。
【００１９】
配電部品２は、電流の通電・遮断・検出を実行させるための主回路や、イグニッションスイッチからの出力信号に基づいて作動させる主回路の電磁リレー２１ａを保護する保護回路等を構成する大小さまざまな大きさの電子回路部品で、電磁リレー２１ａ、バッテリの状態を検出させる電圧センサー２２等からなり、下ケース１１内に収納されている。
【００２０】
このうち、上記した保護回路は、抵抗を介して接続された保護回路用の電磁リレー２１ｂ等の小さい配電部品２ｂからなり、主回路の電磁リレー２１ａをＯＮ・ＯＦＦさせる際に、予め、保護回路用の電磁リレー２１ｂを作動させてから主回路の電磁リレー２１ａをＯＮ・ＯＦＦさせることで、主回路の電磁リレー２１ａを保護するように構成されている。
【００２１】
また上記した電圧センサー２２は、保護回路用の電磁リレー２１ｂ等の小さい配電部品２ｂと比較して大きい配電部品２ａとなっており、図２〜図５に示すように、電圧センサー２２を構成する筐体の上面に設けられた所要高さの取付ボス２２ａ（支持部）に上記した保護回路を構成する小さい配電部品２ｂが階層的に取り付けられている。
【００２２】
また、電圧センサー２２を構成する筐体の上面には、上記した取付ボス２２ａの他に、この後述するハーネス３１を所望する方向へガイドさせるリブ２２ｂが設けられていると共に、この取付ボス２２ａも、後述するハーネス３１を所望する方向へガイドさせるように所要位置に設けられている。
【００２３】
接続部材３は、上記した大小さまざまな大きさの電子回路部品からなる配電部品２を、所望の配線パターンで電気的に接続されたハーネス３１やバスバー３２等からなり、上記の主回路や保護回路等を構成させている。
【００２４】
さらに、取付ボス２２ａ（支持部）によって、電圧センサー２２を構成する筐体の上面と、その上面に取り付けられた保護回路を構成する小さい配電部品２ｂとの間に形成された間隙Ｈに、電圧センサー２２や、保護回路用の電磁リレー２１ｂに接続されたハーネス３１が、取付ボス２２ａやリブ２２ｂにガイドされながら配線されている。なお、上記した間隙Ｈは、ハーネス３１の外径より僅かに幅狭な所要高さで形成されており、保護回路用の電磁リレー２１ｂを電圧センサー２２を組み付けするだけの作業で、ハーネス３１を押さえ込んで固定されるようになっている。
【００２５】
以上のように構成された本実施の形態にかかる電気接続箱Ａは、配電部品２のうち大きい配電部品２ａ、例えば電圧センサー２２を下ケース１１に取着し、さらに、その電圧センサー２２の上面に小さい配電部品２ｂ、例えば、保護回路用の電磁リレー２１ｂを階層的に取着すると共に、取付ボス２２ａによって形成された間隙Ｈにハーネス３１を配線する。このようにすることで、接続部材３が整頓されると同時に整然と配電部品２を組むことができ、したがって、さらなる小型・軽量化に対応できる電気接続箱Ａになっている。
【００２６】
そして、本実施の形態にかかる電気接続箱Ａは、ケース本体１内に配電部品２や接続部材３を内装し、下ケース１１と上ケース１２とをあわせて、ケース本体１の内部に粉塵などが侵入しないように密閉され、ハイブリット自動車や電気自動車、燃料電池車等に組み込まれて使用に供される。
【００２７】
以上、本実施の形態にかかる電気接続箱Ａを説明したが、上述した実施の形態は、本発明の好適な実施の形態の一例を示すものであり、本発明はそれに限定されるものではなく、その要旨を逸脱しない範囲内において、種々変形実施が可能である。
【００２８】
例えば、本実施の形態では、電圧センサー２２を構成する筐体の上面に保護回路を構成する小さい配電部品２ｂ、例えば、保護回路用の電磁リレー２１ｂを階層的に取り付けているが、これらの配電部品に限定されることはない。
【００２９】
また、配電部品２のうち大きい配電部品２ａを下ケース１１などの取付板に取着し、配電部品２のうち大きい配電部品２ａの上面に、小さい配電部品２ｂを取着する電気接続箱の組立方法でもよい。この場合においても、小さい配電部品２ｂは、大きい配電部品２ａの上面から所要幅の間隙Ｈが形成するように取付ボス２２ａ等の支持部を介在して取着し、その間隙Ｈに、接続部材３が押さえ込まれるように配線することが好適で、さらに、この取付ボス２２ａ等の支持部は、接続部材３を所望する方向へガイドするように所要位置に設けることが好適である。
【図面の簡単な説明】
【００３０】
【図１】本実施の形態にかかる電気接続箱の上ケースを外した状態の平面図である。
【図２】同、図１におけるＸ−Ｘ線に沿える断面図である。
【図３】配電部品を階層的に取り付けた要部の平面図である。
【図４】配電部品を階層的に取り付けた要部の正面図である。
【図５】配電部品を階層的に取り付けた要部の斜視図である。
【図６】接続部材を配線した状態の本実施の形態にかかる大きい配電部品（電圧センサー）の平面図である。
【図７】接続部材を配線した状態の本実施の形態にかかる大きい配電部品（電圧センサー）の斜視図である。
【図８】同、上ケースを外した状態の分解斜視図である。
【符号の説明】
【００３１】
A  電気接続箱Ａ
１  ケース本体
１１  下ケース
１１ａ  取付部
１２  上ケース
１２ａ  放熱フィン
１３  通気孔部
１３ａ  容器体
１３ｂ  中空ホース
２  配電部品
２ａ  大きい配電部品
２ｂ  小さい配電部品
２１ａ  主回路の電磁リレー
２１ｂ  保護回路用の電磁リレー
２２  電圧センサー
２２ａ  取付ボス
２２ｂ  リブ
３  接続部材
３１  ハーネス
３２  バスバー
Ｈ  間隙
【図１】
2006158125.tif 000003
【図２】
2006158125.tif 000004
【図３】
2006158125.tif 000005
【図４】
2006158125.tif 000006
【図５】
2006158125.tif 000007
【図６】
2006158125.tif 000008
【図７】
2006158125.tif 000009
【図８】
2006158125.tif 000010